(57)【要約】【課題】  バンドの取付部分を小さく形成でき、これにより時計ケースの外観やデザインが制約を受けないようにすることができるバンド取付構造を提供する。【解決手段】  腕時計ケース２の両側部のバンド取付部にそれぞれ取り付けられ、且つこのバンド取付部に取り付けられた合成樹脂製のカバー部材６の下側を押える金属製のバンド取付金具８にバンド挿通孔１１を設け、このバンド挿通孔１１にバンド１を挿通させた状態でバンド取付金具８がバンド１をカバー部材６に押し付けるように構成した。従って、金属製のバンド取付金具によってバンド１の取付強度を確保できるので、合成樹脂製のカバー部材６の厚みを薄く形成することができ、バンド１の取付部分全体を小さく形成することができる。これにより、腕時計ケース２の外観やデザインがバンド１の取付部分によって制約を受けないようにすることができる。【選択図】        図２
2009060994.tif 000002
【特許請求の範囲】
【請求項１】
時計ケースの一側部側から前記時計ケースの裏面側を経て前記時計ケースの他側部側に連続してバンドを取り付けるバンド取付構造において、
前記時計ケースの前記一側部側と前記他側部側との両側部に設けられたバンド取付部と、
このバンド取付部にその表面側を覆って配置された合成樹脂製のカバー部材と、
前記バンド取付部に取り付けられて前記カバー部材を前記バンド取付部に取り付けるための取付棒と、
前記カバー部材の裏面側を押える押え部の両側に設けられた一対のアーム部が前記取付棒の両端部に取り付けられ、且つ前記押え部に前記バンドが挿通するバンド挿通部が設けられた金属製のバンド取付金具と
を備えたことを特徴とするバンド取付構造。
【請求項２】
前記バンド取付金具の前記バンド挿通部は、前記バンドが挿通するバンド挿通孔であることを特徴とする請求項１に記載のバンド取付構造。
【請求項３】
前記バンド取付金具の前記バンド挿通部は、前記バンド取付金具に前記バンドが挿入する間隔で設けられた一対の支持部と、この一対の支持部間に取付位置が調節可能に取り付けられた調整ピンとを備えていることを特徴とする請求項１に記載のバンド取付構造。
【請求項４】
前記バンド取付金具の前記バンド挿通部は、前記バンド取付金具に前記バンドが挿入する間隔で設けられた一対の支持部と、この一対の支持部間に所定間隔で取り付けられた複数の調整ピンとを備えていることを特徴とする請求項１に記載のバンド取付構造。
【請求項５】
時計ケースの一側部側から前記時計ケースの裏面側を経て前記時計ケースの他側部側に連続してバンドを取り付けるバンド取付構造において、
前記時計ケースの前記一側部側と前記他側部側との両側部に設けられたバンド取付部と、
このバンド取付部にその表面側を覆って配置された合成樹脂製のカバー部材と、
前記バンド取付部に取り付けられて前記カバー部材を前記バンド取付部に取り付けるための取付棒と、
前記カバー部材の裏面側を押える押え部の両側に設けられた一対のアーム部が前記取付棒の両端部に取り付けられ、且つ前記一対のアーム部に一対の切起し部が互いに対向して設けられ、この一対の切起し部と前記押え部とによって前記バンドが挿通するバンド挿通部が設けられた金属製のバンド取付金具と
を備えたことを特徴とするバンド取付構造。
【請求項６】
時計ケースの一側部側から前記時計ケースの裏面側を経て前記時計ケースの他側部側に連続してバンドを取り付けるバンド取付構造において、
前記時計ケースの前記一側部側と前記他側部側との両側部に設けられたバンド取付部と、
このバンド取付部にその表面側を覆って配置された合成樹脂製のカバー部材と、
前記バンド取付部に取り付けられて前記カバー部材を前記バンド取付部に取り付けるための取付棒と、
前記カバー部材の裏面側を押える第１金具およびこの第１金具の裏面側に隙間をもって配置される第２金具がそれぞれ前記取付棒の両端部に取り付けられ、且つ前記第１金具と前記第２金具との間の前記隙間によって前記バンドが挿通するバンド挿通部が設けられた金属製のバンド取付金具と
を備えたことを特徴とするバンド取付構造。
【発明の詳細な説明】
【技術分野】
【０００１】
この発明は、腕時計におけるバンド取付構造に関する。
【背景技術】
【０００２】
従来、腕時計におけるバンド取付構造には、特許文献１に記載されているように、単一のバンドを用い、このバンドを腕時計ケースの一側部側から腕時計ケースの裏面側を通り、腕時計ケースの他側部側に連続させて取り付けるように構成したものがある。
【特許文献１】特開平０８−２３８１１６号
【０００３】
すなわち、この種のバンド取付構造は、腕時計ケースの両側部にその裏面よりも下側に斜めに傾斜して延びる合成樹脂製のバンド取付部材をそれぞれ取り付け、このバンド取付部材にバンドが貫通するバンド貫通孔をバンド取付部材の下端部から腕時計ケースの裏面に向けて設けた構成になっている。
【０００４】
このようなバンド取付構造においては、一方のバンド取付部材のバンド貫通孔にバンドを貫通させて腕時計ケースの裏面側に送り込み、この裏面側に送り込まれて裏面側を通過したバンドを他方のバンド取付部材のバンド貫通孔に連続させて貫通させることにより、単一のバンドを腕時計ケースに取り付け、このバンドによって腕時計ケースを腕に取り付けるように構成されている。
【発明の開示】
【発明が解決しようとする課題】
【０００５】
このような従来のバンド取付構造では、腕時計ケースの両側部に取り付けられたバンド取付部材が合成樹脂製であるから、このバンド取付部材にバンドが貫通するバンド貫通孔をバンド取付部材の下端部から腕時計ケースの裏面に向けて設けるためには、バンド取付部材の強度を十分に確保する必要がある。このため、バンド取付部材を厚くして大きく形成しなければ、十分な強度を確保することができず、これに伴ってバンドの取付部分全体が厚くて大きくなり、これにより腕時計ケースの外観やデザインが制約を受けるという問題がある。
【０００６】
この発明が解決しようとする課題は、バンドの取付部分を小さく形成することができ、時計ケースの外観やデザインが制約を受けないようにすることができるバンド取付構造を提供することである。
【課題を解決するための手段】
【０００７】
この発明は、上記課題を解決するために、次のような構成要素を備えている。
請求項１に記載の発明は、時計ケースの一側部側から前記時計ケースの裏面側を経て前記時計ケースの他側部側に連続してバンドを取り付けるバンド取付構造において、
前記時計ケースの前記一側部側と前記他側部側との両側部に設けられたバンド取付部と、このバンド取付部にその表面側を覆って配置された合成樹脂製のカバー部材と、前記バンド取付部に取り付けられて前記カバー部材を前記バンド取付部に取り付けるための取付棒と、前記カバー部材の裏面側を押える押え部の両側に設けられた一対のアーム部が前記取付棒の両端部に取り付けられ、且つ前記押え部に前記バンドが挿通するバンド挿通部が設けられた金属製のバンド取付金具とを備えたことを特徴とするバンド取付構造である。
【０００８】
請求項２に記載の発明は、前記バンド取付金具の前記バンド挿通部が、前記バンドの挿通するバンド挿通孔であることを特徴とする請求項１に記載のバンド取付構造である。
【０００９】
請求項３に記載の発明は、前記バンド取付金具の前記バンド挿通部が、前記バンド取付金具に前記バンドが挿入する間隔で設けられた一対の支持部と、この一対の支持部間に取付位置が調節可能に取り付けられた調整ピンとを備えていることを特徴とする請求項１に記載のバンド取付構造である。
【００１０】
請求項４に記載の発明は、前記バンド取付金具の前記バンド挿通部が、前記バンド取付金具に前記バンドが挿入する間隔で設けられた一対の支持部と、この一対の支持部間に所定間隔で取り付けられた複数の調整ピンとを備えていることを特徴とする請求項１に記載のバンド取付構造である。
【００１１】
請求項５に記載の発明は、時計ケースの一側部側から前記時計ケースの裏面側を経て前記時計ケースの他側部側に連続してバンドを取り付けるバンド取付構造において、
前記時計ケースの前記一側部側と前記他側部側との両側部に設けられたバンド取付部と、このバンド取付部にその表面側を覆って配置された合成樹脂製のカバー部材と、前記バンド取付部に取り付けられて前記カバー部材を前記バンド取付部に取り付けるための取付棒と、前記カバー部材の裏面側を押える押え部の両側に設けられた一対のアーム部が前記取付棒の両端部に取り付けられ、且つ前記一対のアーム部に一対の切起し部が互いに対向して設けられ、この一対の切起し部と前記押え部とによって前記バンドが挿通するバンド挿通部が設けられた金属製のバンド取付金具とを備えたことを特徴とするバンド取付構造である。
【００１２】
請求項６に記載の発明は、時計ケースの一側部側から前記時計ケースの裏面側を経て前記時計ケースの他側部側に連続してバンドを取り付けるバンド取付構造において、
前記時計ケースの前記一側部側と前記他側部側との両側部に設けられたバンド取付部と、このバンド取付部にその表面側を覆って配置された合成樹脂製のカバー部材と、前記バンド取付部に取り付けられて前記カバー部材を前記バンド取付部に取り付けるための取付棒と、前記カバー部材の裏面側を押える第１金具およびこの第１金具の裏面側に隙間をもって配置される第２金具がそれぞれ前記取付棒の両端部に取り付けられ、且つ前記第１金具と前記第２金具との間の前記隙間によって前記バンドが挿通するバンド挿通部が設けられた金属製のバンド取付金具とを備えたことを特徴とするバンド取付構造である。
【発明の効果】
【００１３】
この発明によれば、時計ケースの両側部のバンド取付部にそれぞれ取り付けられ、且つこのバンド取付部にその表面を覆って取り付けられた合成樹脂製のカバー部材の裏面側を押える金属製のバンド取付金具にバンド挿通部を設け、このバンド挿通部にバンドを通すことにより、バンドを腕時計ケースの一側部側から腕時計ケースの裏面側を経て腕時計ケースの他側部側に連続させて取り付けることができ、この状態で金属製のバンド取付金具によってバンドをカバー部材に押え付けることができるので、バンドを腕時計ケースの両側部のバンド取付部に対し確実に取り付けることができる。
【００１４】
このため、カバー部材を合成樹脂で形成しても、金属製のバンド取付金具によってバンドの取付強度を確保することができるので、カバー部材の厚みを薄くすることができると共に、バンドの取付部分全体を小さく形成することができる。これにより、時計ケースの外観やデザインがバンドの取付部分によって制約を受けないようにすることができるので、外観的にもデザイン的にも好ましいもの得ることができる。
【発明を実施するための最良の形態】
【００１５】
（実施形態１）
以下、図１〜図７を参照して、この発明のバンド取付構造を腕時計に適用した実施形態１について説明する。
この腕時計のバンド取付構造は、図１および図２に示すように、単一のバンド１を用い、このバンド１を腕時計ケース２の一側部側から腕時計ケース２の裏面側を経て腕時計ケース２の他側部側に連続させて取り付けるように構成されている。
【００１６】
この場合、腕時計ケース２は、図３および図４に示すように、ウレタン樹脂などの合成樹脂からなり、その内部に時計モジュール（図示せず）が組み込まれている。この腕時計ケース２の上面には、図１および図３に示すように、時計ガラス３が取り付けられおり、腕時計ケース２の下面には、図２および図４に示すように、裏蓋４が取り付けられている。また、この腕時計ケース２の両側部、例えば１２時側の側部と６時側の側部とには、図３および図４に示すように、それぞれバンド取付部５が設けられている。
【００１７】
このバンド取付部５には、図１、図２、図５に示すように、その表面側を覆うカバー部材６が取り付けられている。すなわち、このカバー部材６は、ウレタン樹脂などの合成樹脂からなり、図１および図２に示すように、腕時計ケース２の側部から斜め下側に向けて一体的に連続するように形成されている。このカバー部材６の下面には、図６（ａ）および図６（ｂ）に示すように、バンド取付部５が下側から挿入する取付凹部６ａと、バンド１が下側から配置されるバンド凹部６ｂとが設けられており、このカバー部材６の両側面には、後述するバンド取付金具８のアーム部１０が挿入するアーム挿入凹部６ｃが設けられている。
【００１８】
また、バンド取付部５には、図５に示すように、カバー部材６をバンド取付部５に取り付けるためのばね棒７が取り付けられている。このばね棒７は、図５に示すように、円筒部７ａ内にばね７ｂが設けられ、このばね７ｂのばね力で両端のピン７ｃが円筒部７ａから出没可能に突出する構成のものであり、円筒部７ａがバンド取付部５の取付孔５ａ内に挿入されることにより、バンド取付部５に取り付けられている。また、このばね棒７は、その両端のピン７ｃがバンド取付部５の両側から突出し、この突出したばね棒７の両端のピン７ｃがカバー部材６の取付凹部６ａの両側に設けられたピン挿入孔６ｄに挿入され、これによりカバー部材６をバンド取付部５に取り付けている。
【００１９】
また、このばね棒７は、図５に示すように、その両端のピン７ｃがカバー部材６の両側のピン挿入孔６ｄから突出し、この突出したばね棒７の両端のピン７ｃにバンド取付金具８が取り付けられるように構成されている。すなわち、このバンド取付金具８は、図７（ａ）および図７（ｂ）に示すように、金属板からなり、カバー部材６の下面を押える押え部９と、この押え部９の両側に設けられた一対のアーム部１０とを備え、この一対のアーム部１０がカバー部材６のアーム挿入凹部６ｃ内に配置された状態で、ばね棒７の両端のピン７ｃが一対のアーム部１０のピン挿入孔１０ａに挿入することにより、押え部９がバンド１を介してカバー部材６を下側から押え付けてバンド取付部５に取り付けられるように構成されている。
【００２０】
この場合、押え部９は、図２および図７に示すように、カバー部材６の取付凹部６ａ側を下側から押えるカバー押え部９ａと、カバー部材６のバンド凹部６ｂ内にバンド１を押えるバンド押え部９ｂとを備えている。このバンド押え部９ｂには、バンド１が挿通するほぼ四角形状のバンド挿通孔１１が設けられており、このバンド押え部９ｂの先端部（図７（ａ）では右端部）には、下側に向けて傾斜する傾斜部１２が形成されている。これにより、バンド押え部９ｂは、バンド１がバンド挿通孔１１を挿通した状態で、バンド１をカバー部材６の下面に押し付けるように構成されている。
【００２１】
このような腕時計におけるバンド取付構造によれば、腕時計ケース２の両側部のバンド取付部５にそれぞれ取り付けられ、且つこのバンド取付部５にその上面側を覆って取り付けられた合成樹脂製のカバー部材６の下側を押える金属製のバンド取付金具８にバンド挿通孔１１を設け、この金属製のバンド取付金具８のバンド挿通孔１１にバンド１を通すことにより、バンド１を腕時計ケース２の一側部側から腕時計ケース２の裏面側を経て腕時計ケース１の他側部側に連続させて取り付けることができ、この状態で金属製のバンド取付金具８によってバンド１をカバー部材６に押え付けることができるので、バンド１を腕時計ケース２の両側部のバンド取付部５に対し確実に取り付けることができる。
【００２２】
すなわち、腕時計ケース２のバンド取付部５にばね棒７によって取り付かれたバンド取付金具８が、金属板からなり、このバンド取付金具９が、カバー部材６の下側を押える押え部９と、ばね棒７の両端部に取り付けられる一対のアーム部１０とを備え、この押え部９にバンド１が挿通するバンド挿通孔１１を設け、このバンド挿通孔１１にバンド１を挿通させた状態で、押え部９がカバー部材６の下面を押え付けると共に、バンド１をもカバー部材６の下面に押し付けるので、カバー部材６を合成樹脂で形成しても、金属製のバンド取付金具８によってバンド１の取付強度を確保することができる。
【００２３】
このため、カバー部材６をウレタン樹脂で形成し、その下面にバンド取付部５が挿入する取付凹部６ａおよびバンド１が配置するバンド凹部６ｂを設けると共に、このカバー部材６の両側面にバンド取付金具８のアーム部１０が挿入する挿入凹部６ｃを設けることにより、カバー部材６の全体の厚みを薄くすることができる。このように、カバー部材６の厚みを薄くしても、バンド１の取付部分全体の強度を十分に確保することができるので、バンド１の取付部分全体を小さく形成することができる。これにより、腕時計ケース２の外観やデザインがバンド１の取付部分によって制約を受けないようにすることができるので、外観的にもデザイン的にも好ましいもの得ることができる。
【００２４】
この場合、バンド取付金具８の押え部９は、カバー部材６の取付凹部６ａ側を下側から押えるカバー押え部９ａと、カバー部材６のバンド凹部６ｂ内にバンド１を押えるバンド押え部９ｂとからなり、このバンド押え部９ｂに、バンド１が挿通するバンド挿通孔１１が設けられていると共に、バンド押え部９ｂの先端部に、下側に向けて傾斜する傾斜部１２が形成されているので、この傾斜部１２によってバンド１をバンド挿通孔１１に容易に且つ良好に挿通させることができると共に、このバンド挿通孔１１を挿通したバンド１をバンド押え部９ｂによってカバー部材６に確実に押し付けることができ、またカバー押え部９ｂによってカバー部材６の下面を押えることができる。これにより、バンド１を腕時計ケース２のバンド取付部５に対し確実に取り付けることができる。
【００２５】
（実施形態２）
次に、図８〜図１０を参照して、この発明のバンド取付構造を腕時計に適用した実施形態２について説明する。なお、図１〜図７に示された実施形態１と同一部分には同一符号を付して説明する。
この腕時計のバンド取付構造は、図８〜図１０に示すように、バンド取付金具８のバンド挿通部１４が実施形態１と異なる構成であり、これ以外は実施形態１と同じ構成になっている。
【００２６】
すなわち、バンド取付金具８のバンド挿通部１４は、図８〜図１０に示すように、バンド取付金具８の押え部９にその両側からカバー部材６の先端側（図１０では右下側）に向けてバンド１が挿入する間隔で設けられた一対の支持部１５と、この一対の支持部１５間に取付位置が調節可能に取り付けられた１本の調整ピン１６とを備えている。この場合、バンド挿通部１４における一対の支持部１５の対向面には、図１０に示すように、複数のピン取付孔１５ａが一定間隔で設けられている。
【００２７】
また、調整ピン１６は、ばね棒７と同じ構成のものであり、図１０に示すように、円筒部１６ａ内にばね（図示せず）が設けられ、このばねのばね力で両端のピン１６ｂが円筒部１６ａから出没可能に突出し、この突出した両端のピン１６ｂが一対の支持部１５の互いに対向し合う複数のピン取付孔１５ａのいずれかに挿入することにより、一対の支持部１５間に取付位置が変更可能に取り付けられるように構成されている。
【００２８】
このような腕時計のバンド取付構造によれば、実施形態１と同様の作用効果があるほか、バンド取付金具８のバンド挿通部１４が、バンド取付金具８の押え部９にバンド１が挿入する間隔で設けられた一対の支持部１５と、この一対の支持部１５間に取付位置が調節可能に取り付けられた一本の調整ピン１６とを備えているので、一対の支持部１５の対向面に設けられた複数のピン取付孔１５ａのうち、対向し合ういずれかのピン取付孔１５ａに調整ピン１６を取り付けることにより、調整ピン１６の取付位置を変更することができる。これにより、バンド挿通部１４におけるバンド１の挿入領域の大きさを変えることができるので、バンド１の厚みやバンド１の取付長さに応じてバンド１を腕時計ケース２に対し確実に且つ良好に取り付けることができる。
【００２９】
（実施形態３）
次に、図１１〜図１３を参照して、この発明のバンド取付構造を腕時計に適用した実施形態３について説明する。この場合にも、図１〜図７に示された実施形態１と同一部分には同一符号を付して説明する。
この腕時計のバンド取付構造は、図１１〜図１３に示すように、バンド取付金具８のバンド挿通部１７が実施形態１と異なる構成であり、これ以外は実施形態１と同じ構成になっている。
【００３０】
すなわち、バンド取付金具８のバンド挿通部１７は、図１１〜図１３に示すように、バンド取付金具８における一対のアーム部１０からそれぞれカバー部材６の先端側（図１３では右下側）に向けてバンド１が挿入する間隔で設けられた一対の支持部１８と、この一対の支持部１８間に所定間隔で取り付けられた複数の調整ピン１９とを備えている。この場合、バンド挿通部１７における一対の支持部１８の対向面には、図１３に示すように、複数のピン取付孔１８ａが千鳥状に並んで設けられている。
【００３１】
また、複数の調整ピン１９は、実施形態２の調整ピン１６と同じばね棒であり、円筒部１９ａの両端部からピン１９ｂが出没可能に突出し、この突出した両端のピン１９ｂが一対の支持部１７の互いに対向する複数のピン取付孔１７ａにそれぞれ挿入することにより、図１２および図１３に示すように、上下および前後に一定間隔、つまりバンド１が挿入する間隔をもって、一対の支持部１８間に千鳥状に並んで取り付けられている。
【００３２】
このような腕時計のバンド取付構造によれば、実施形態１と同様の作用効果があるほか、バンド取付金具８のバンド挿通部１７が、バンド取付金具８における一対のアーム部１０にそれぞれバンド１が挿入する間隔で設けられた一対の支持部１８と、この一対の支持部１８間に所定間隔で取り付けられた複数の調整ピン１９とを備えているので、複数の調整ピン１９のいずれかの間にバンド１を通すことにより、バンド１を腕時計ケース２のバンド取付部５に対し確実に且つ良好に取り付けることができる。
【００３３】
この場合、複数の調整ピン１９間にバンド１を通す際、複数の調整ピン１９における全ての間にバンド１を通した場合と、複数の調整ピン１９のいずれかの間にバンド１を通した場合とで、腕時計ケース２に対するバンド１の取付長さを変えることができる。このため、複数の調整ピン１９間にバンド１を通す通し方によってバンド１の取付長さを調整することができるので、バンド１を最適な長さで確実且つ良好に腕時計ケース２に対し取り付けることができる。
【００３４】
（実施形態４）
次に、図１４〜図１８を参照して、この発明のバンド取付構造を腕時計に適用した実施形態４について説明する。この場合にも、図１〜図７に示された実施形態１と同一部分には同一符号を付して説明する。
この腕時計のバンド取付構造は、図１４および図１５に示すように、カバー部材２０とバンド取付金具２１とが実施形態１と異なる構成であり、これ以外は実施形態１とほぼ同じ構成になっている。
【００３５】
すなわち、カバー部材２０は、実施形態１と同様、ウレタン樹脂などの合成樹脂からなり、図１４および図１５に示すように、腕時計ケース２の側部から斜め下側に向けて一体的に連続するように形成されている。このカバー部材２０の下面には、図１７（ａ）および図１７（ｂ）に示すように、バンド取付部５が挿入する取付凹部２０ａが設けられており、このカバー部材２０の下面における先端側（図１７（ｂ）では右側）には、バンド１が配置するバンド凹部２０ｂが設けられている。
【００３６】
また、このカバー部材６の両側面（図１７（ｂ）では前後面）には、図１７（ａ）および図１７（ｂ）に示すように、バンド取付金具２１の後述するアーム部２３が取付凹部２０ａとバンド凹部２０ｂとの間に対応する側部で、回転可能に挿入するほぼ扇形状のアーム挿入凹部２０ｃが設けられている。さらに、このアーム挿入凹部２０ｃの縁部には、後述するアーム部２３の切起し部２４が圧接することにより切起し部２４を保持する金具保持部２０ｄが設けられている。このカバー部材２０も、アーム挿入凹部２０ｃの両側に設けられたピン挿入孔２０ｅにばね棒７の両端のピン７ｃが挿入されることにより、バンド取付部５に取り付けている。
【００３７】
一方、バンド取付金具２１は、図１８（ａ）および図１８（ｂ）に示すように、細長い金属板からなり、その両側をほぼ垂直に折り曲げることにより、押え部２２と、この押え部２２の両側に設けられた一対のアーム部２３とを有している。この場合、一対のアーム部２３は、図１５に示すように、その間隔がバンド１の幅と同じか、それよりも少し広い幅で形成されている。
【００３８】
この一対のアーム部２３には、互いに接近する方向に向けて一対の切起し部２４が押え部２２と平行に設けられている。この一対の切起し部２４は、押え部２２からの距離がバンド１の厚みと同じか、それよりも少し広い間隔で設けられている。これにより、バンド取付金具２１には、図１６に示すように、一対の切起し部２４と押え部２２とによって、バンド１が挿通するバンド挿通部２５が形成されている。
【００３９】
また、このバンド取付金具２１は、一対のアーム部２３の各上端部がカバー部材２０のアーム挿入凹部２０ｃに配置された状態で、図１６に示すように、一対のアーム部２３の各上端部のピン挿入孔２３ａに腕時計ケース１のバンド取付部５に取り付けられたばね棒７の両端のピン７ｃが挿入することにより、バンド取付部５に取り付けられている。また、このバンド取付金具２１は、図１６に示すように、一対のアーム部２３がばね棒７の両端のピン７ｃを中心に回転することにより、一対の切起し部２３がカバー部材２０の金具保持部２０ｄに圧接して保持され、これによりカバー部材２０に対して固定されると共に、図１５に示すように、押え部２２がバンド１をカバー部材２０の下面に押し付けるように構成されている。
【００４０】
このような腕時計におけるバンド取付構造によれば、腕時計ケース２の両側部のバンド取付部５にそれぞれ取り付けられ、且つこのバンド取付部５にその上面側を覆って取り付けられた合成樹脂製のカバー部材２０の下側を押える金属製のバンド取付金具２１に、バンド挿通部２５が一対の切起し部２４と押え部２２とによって設けられ、この金属製のバンド取付金具２１のバンド挿通部２５にバンド１を通すことにより、実施形態１と同様、バンド１を腕時計ケース２の一側部側から腕時計ケース２の裏面側を経て腕時計ケース１の他側部側に連続させて取り付けることができ、この状態で金属製のバンド取付金具２１によってバンド１をカバー部材２０に押え付けることができるので、腕時計ケース２の両側部のバンド取付部５に対し確実に取り付けることができる。
【００４１】
すなわち、腕時計ケース２のバンド取付部５にばね棒７によって取り付かれたバンド取付金具２１が、金属板からなり、このバンド取付金具２１が、押え部２２と一対のアーム部２３とを有し、この一対のアーム部２３に設けられた一対の切起し部２４と押え部２２とによってバンド挿通部２５が設けられ、このバンド挿通部２５にバンド１を挿通させた状態で、バンド取付金具２１の押え部２２がバンド１をカバー部材２０の下面に押し付けるので、実施形態１と同様、カバー部材２０を合成樹脂で形成しても、金属製のバンド取付金具２１によってバンド１の取付強度を確保することができる。
【００４２】
このため、カバー部材２０をウレタン樹脂で形成し、その下面にバンド取付部５が挿入する取付凹部２０ａと、バンド１が配置するバンド凹部２０ｂとを設けると共に、このカバー部材２０の両側面にバンド取付金具２１のアーム部２３が回転可能に挿入するアーム挿入凹部２０ｃとアーム部２３の切起し部２４が当接する金具保持部２０ｄとを設けることにより、カバー部材２０の全体の厚みを薄くすることができる。
【００４３】
このように、カバー部材２０の厚みを薄くしても、バンド１の取付部分全体の強度を十分に確保することができるので、実施形態１と同様、バンド１の取付部分全体を小さく形成することができる。これにより、腕時計ケース２の外観やデザインがバンド１の取付部分によって制約を受けないようにすることができるので、外観的にもデザイン的にも好ましいもの得ることができる。
【００４４】
この場合、バンド取付金具２１は、その両側の一対のアーム部２３にそれぞれ切起し部２４が互いに接近する方向に向けて設けられ、この一対の切起し部２４と押え部２２とによってバンド１が挿通するバンド挿通部２５を形成しているので、このバンド挿通部２５にバンド１を確実に且つ良好に挿通させて保持することができるほか、一対の切起し部２４がカバー部材２０の金具保持部２０ｄに圧接して保持されるので、バンド取付金具２１をカバー部材２０に対しても確実に固定することができる共に、押え部２２によってバンド１をカバー部材２０の下面に確実に押し付けることができ、これによりバンド１を腕時計ケース２のバンド取付部５に対し確実に取り付けることができる。
【００４５】
（実施形態５）
次に、図１９〜図２３を参照して、この発明のバンド取付構造を腕時計に適用した実施形態５について説明する。この場合には、図１４〜図１８に示された実施形態４と同一部分に同一符号を付して説明する。
この腕時計のバンド取付構造は、図１９〜図２０に示すように、バンド取付金具３０が実施形態４と異なる構成であり、これ以外は実施形態４とほぼ同じ構成になっている。
【００４６】
すなわち、このバンド取付金具３０は、図２２および図２３に示すように、第１金具３１と第２金具３２とを備えている。第１金具３１は、細長い金属板からなり、その両側をほぼ垂直に折り曲げることにより、カバー部材２０の下面を押える押え部３１ａと、この押え部３１ａの両側に設けられて各上端部にばね棒７の両端のピン７ｃが挿入するピン挿入孔３１ｃが設けられた一対のアーム部３１ｂとを有している。第２金具３２も、細長い金属板からなり、第１金具３１の下方に隙間をもって所定間隔離れた状態で配置される押え部３２ａと、この押え部３２ａの両側に設けられて各上端部にばね棒７の両端のピン７ｃが挿入するピン挿入孔３２ｃが設けられた一対のアーム部３２ｂとを有している。
【００４７】
この場合、第１金具３１のアーム部３１ｂは、第２金具３２のアーム部３２ｂよりも短く形成されている。これにより、バンド取付金具３０は、図２１および図２２に示すように、第１金具３１の押え部３１ａと第２金具３２の押え部３２ａとの間の隙間によってバンド１が挿通するバンド挿通部３３が設けられている。また、このバンド取付金具３０は、第１金具３１のアーム部３１ｂがばね棒７のピン７ｃを中心に回転することにより、第１金具３１の押え部３１ａがカバー部材２０の金具保持部２０ｄに圧接して保持され、これによりカバー部材２０に対して固定されるように構成されている。
【００４８】
このような腕時計におけるバンド取付構造によれば、腕時計ケース２の両側部のバンド取付部５にそれぞれ取り付けられ、且つこのバンド取付部５にその上面側を覆って取り付けられた合成樹脂製のカバー部材２０の下側を押える金属製のバンド取付金具３０に、バンド挿通部３３が第１、第２金具３１、３２によって設けられ、この金属製のバンド取付金具３０のバンド挿通部３３にバンド１を通すことにより、実施形態４と同様、バンド１を腕時計ケース２の一側部側から腕時計ケース２の裏面側を経て腕時計ケース１の他側部側に連続させて取り付けることができ、この状態で金属製のバンド取付金具３０によってバンド１をカバー部材２０に押え付けることができるので、腕時計ケース２の両側部のバンド取付部５に対し確実に取り付けることができる。
【００４９】
すなわち、腕時計ケース１のバンド取付部５にばね棒７によって取り付かれたバンド取付金具３０が、金属製の第１金具３１と第２金具３２とを有し、第１金具３１の押え部３１ａと第２金具３２の押え部３２ａとの間にバンド１が挿通するバンド挿通部３３が設けられ、このバンド挿通部３３にバンド１を挿通させた状態で、バンド取付金具３０における第１金具３１の押え部３１ａがカバー部材２０の下面を押し付けると共に、第１金具３１と第２金具３２との間のバンド挿通部３３でバンド１を保持して押え付けるので、実施形態４と同様、カバー部材２０を合成樹脂で形成しても、金属製のバンド取付金具３０によってバンド１の取付強度を確保することができる。
【００５０】
このため、実施形態４と同様、カバー部材２０をウレタン樹脂で形成し、その下面にバンド取付部５が挿入する取付凹部２０ａと、バンド１が配置するバンド凹部２０ｂとを設けると共に、このカバー部材２０の両側面にバンド取付金具２１のアーム部２３が回転可能に挿入するアーム挿入凹部２０ｃと第１金具３１の押え部３１ａが圧接する金具保持部２０ｄとを設けることにより、カバー部材２０の全体の厚みを薄くすることができる。
【００５１】
このように、カバー部材２０の厚みを薄くしても、バンド１の取付部分全体の強度を十分に確保することができるので、実施形態４と同様、バンド１の取付部分全体を小さく形成することができる。これにより、腕時計ケース２の外観やデザインがバンド１の取付部分によって制約を受けないようにすることができるので、外観的にもデザイン的にも好ましいもの得ることができる。
【００５２】
この場合、バンド取付金具３０は、第１、第２金具３１、３２の各押え部３１ａ、３２ａの間にバンド１が挿通するバンド挿通部３３が形成されているので、このバンド挿通部３３にバンド１を確実に且つ良好に挿通させて保持することができるほか、第１金具３１の押え部３１ａがカバー部材２０の金具保持部２０ｄに当接して保持されるので、バンド取付金具３０をカバー部材２０に対しても確実に固定することができると共に、第１、第２金具３１、３２の各押え部３１ａ、３２ａによってバンド１をカバー部材２０に押し付けることができ、これによりバンド１を腕時計ケース２のバンド取付部５に対し確実に取り付けることができる。
【図面の簡単な説明】
【００５３】
【図１】この発明を腕時計に適用した実施形態１の要部を示した斜視図である。
【図２】図１の腕時計を斜め下側から見た斜視図である。
【図３】図１の腕時計における腕時計ケースを示した要部の正面図である。
【図４】図３の腕時計ケースを示した要部の側面図である。
【図５】図２のＡ−Ａ矢視における要部の拡大断面図である。
【図６】図１、図２のカバー部材を示し、（ａ）は図１の状態におけるカバー部材の斜視図、（ｂ）は図２の状態におけるカバー部材の斜視図である。
【図７】図２のバンド取付金具を示し、（ａ）は図２のバンド取付金具を斜め上方から見た斜視図、（ｂ）はそのバンド取付金具を右上側から斜めに見た斜視図である。
【図８】この発明を腕時計に適用した実施形態２の要部を示した斜視図である。
【図９】図８の腕時計からバンドを取り外した状態を示した要部の斜視図である。
【図１０】図９のバンド取付金具を斜め上方から見た斜視図である。
【図１１】この発明を腕時計に適用した実施形態３の要部を示した斜視図である。
【図１２】図１１のＢ−Ｂ矢視における要部の拡大断面図である。
【図１３】図１１のバンド取付金具を斜め上方から見た斜視図である。
【図１４】この発明を腕時計に適用した実施形態４の要部を示した斜視図である。
【図１５】図１４の腕時計を斜め下側から見た斜視図である。
【図１６】図１５のＣ−Ｃ矢視における要部の拡大断面図である。
【図１７】図１４、図１５のカバー部材を示し、（ａ）は図１４の状態におけるカバー部材の斜視図、（ｂ）は図１５の状態におけるカバー部材の斜視図である。
【図１８】図１５のバンド取付金具を示し、（ａ）は図１５のバンド取付金具を左上方から見た斜視図、（ｂ）はそのバンド取付金具を左下側から見た斜視図である。
【図１９】この発明を腕時計に適用した実施形態５の要部を示した斜視図である。
【図２０】図１９の腕時計の側面図である。
【図２１】図２０のＤ−Ｄ矢視における要部の拡大断面図である。
【図２２】図１９のバンド取付金具を示した正面図である。
【図２３】図２２のバンド取付金具を示した分解斜視図である。
【符号の説明】
【００５４】
１  バンド
２  腕時計ケース
５  バンド取付部
６、２０  カバー部材
７  ばね棒
８、２１、３０  バンド取付金具
９  ２２、３１ａ、３２ａ  押え部
１０、２３、３１ｂ、３２ｂ  アーム部
１１  バンド挿通孔
１４、１７、２５、３３  バンド挿通部
１５、１８  支持部
１６、１９  調整ピン
２４  切起し部
３１  第１金具
３２  第２金具
【図１】
2009060994.tif 000003
【図２】
2009060994.tif 000004
【図３】
2009060994.tif 000005
【図４】
2009060994.tif 000006
【図５】
2009060994.tif 000007
【図６】
2009060994.tif 000008
【図７】
2009060994.tif 000009
【図８】
2009060994.tif 000010
【図９】
2009060994.tif 000011
【図１０】
2009060994.tif 000012
【図１１】
2009060994.tif 000013
【図１２】
2009060994.tif 000014
【図１３】
2009060994.tif 000015
【図１４】
2009060994.tif 000016
【図１５】
2009060994.tif 000017
【図１６】
2009060994.tif 000018
【図１７】
2009060994.tif 000019
【図１８】
2009060994.tif 000020
【図１９】
2009060994.tif 000021
【図２０】
2009060994.tif 000022
【図２１】
2009060994.tif 000023
【図２２】
2009060994.tif 000024
【図２３】
2009060994.tif 000025